(57)【要約】【課題】従来、無線ネットワークにおいて多数の無線端末と複数の無線中継局をどのように接続させるかという、無線端末の接続割当ての問題があった。【解決手段】複数の無線中継局と、複数の無線端末と、前期無線ネットワークと別の有線ネットワークで接続される無線端末管理サーバから構成される無線ネットワークシステムにおいて、前記無線端末管理サーバは、前記有線ネットワークを介して前記無線端末から送信された前記無線端末の識別情報と、予め記録されている前記無線端末の固有情報に基づいて、前記無線端末が接続する前記無線中継局を割り当てることを目的とする無線ネットワークの端末接続管理システムである。【選択図】図１
2006270500.tif 000002
【特許請求の範囲】
【請求項１】
複数の無線中継局と、複数の無線端末と、前期無線ネットワークと別の有線ネットワークで接続される無線端末管理サーバから構成される無線ネットワークシステムにおいて、
前記無線端末管理サーバは、前記有線ネットワークを介して前記無線端末から送信された前記無線端末の識別情報と、予め記録されている前記無線端末の固有情報に基づいて、前記無線端末が接続する前記無線中継局を割り当てることを特徴とする無線ネットワークの端末接続管理システム。
【請求項２】
複数の無線中継局と、複数の無線端末と、前期無線ネットワークと別の有線ネットワークで接続される無線端末管理サーバから構成される無線ネットワークシステムにおいて、
前記無線端末管理サーバは、前記有線ネットワークを介して前記無線端末から送信された前記無線端末の識別情報と前記無線端末の無線ネットワーク接続情報に基づいて、前記無線端末が接続する前記無線中継局を割り当てることを特徴とする無線ネットワークの端末接続管理システム。
【請求項３】
複数の無線中継局と、複数の無線端末と、無線端末管理サーバから構成される無線ネットワークシステムにおいて、
前記無線端末管理サーバは、特定の無線中継局の無線ネットワークを経由して前記無線端末から送信された前記無線端末の識別情報と、予め記録されている前記無線端末の固有情報に基づいて、前記無線端末が接続する前記無線中継局を割り当てることを特徴とする無線ネットワークの端末接続管理システム。
【請求項４】
複数の無線中継局と、複数の無線端末と、無線端末管理サーバから構成される無線ネットワークシステムにおいて、
前記無線端末管理サーバは、特定の無線中継局の無線ネットワークを経由して前記無線端末から送信された前記無線端末の識別情報と、前記無線端末の無線ネットワーク接続情報に基づいて、前記無線端末が接続する前記無線中継局を割り当てることを特徴とする無線ネットワークの端末接続管理システム。
【発明の詳細な説明】
【技術分野】
【０００１】
本発明は無線ネットワークの端末接続管理システムに関するものである。
【背景技術】
【０００２】
無線ネットワークではネットワークのグループを識別するため、無線中継局（アクセスポイント）がＳＳＩＤ（Ｓｅｒｖｉｃｅ  Ｓｅｔ  Ｉｄｅｎｔｉｆｉｅｒ）と呼ばれる認識番号を定期的に発信しており、無線端末が無線ネットワークに接続するには、無線中継局が発信しているデータに含まれるＳＳＩＤと無線端末が設定したＳＳＩＤ情報が一致した場合のみ、無線中継局と接続できる。そのため、無線端末で予め無線中継局が使用しているＳＳＩＤを把握して、そのＳＳＩＤを設定する必要がある。例えば、汎用のＰＣ（Ｐｅｒｓｏｎａｌ  Ｃｏｍｐｕｔｅｒ）等では、無線ネットワークを利用する場合には、利用者自らが無線中継局のＳＳＩＤを選択し、設定する操作が必要である。この操作を簡易化するため、例えば、特許文献１において、無線端末に設定すべきＳＳＩＤ情報が記録された小型携帯端末を無線端末に近づけて本来の無線通信とは別の通信手段を用いて、小型携帯端末から無線端末へＳＳＩＤを含む情報を通信し、無線端末内でＳＳＩＤを設定するという方法を提案している。しかし、このような設定方法を用いた場合、数十台以上の無線端末が接続されるような、大規模な無線ネットワークシステムの場合、携帯端末を用いて、全ての無線端末に対してそれぞれＳＳＩＤの設定や変更を行うには、かなりの手間と時間を要することになる。
【０００３】
さて、無線中継局の無線伝送の性能には上限があるため、大規模な無線ネットワークシステムにおいて、もし１つの無線中継局に対して全ての無線端末を接続するような構成にした場合には、無線ネットワークのデータ遅延やデータ途切れというネットワーク障害が発生する。そこでこのような問題を避けるために、一般的に複数の無線中継局を用いて無線ネットワークを構成するわけであるが、この場合、各無線端末をどの無線中継局に接続させるかという、無線端末の接続割当ての問題が新たに発生する。また、無線端末の接続設定を容易にするために、予め無線中継局に接続する無線端末を固定的に割り当てる方法を用いたとすると、途中で無線中継局の故障が発生したり、無線端末の追加・取替えが発生して、無線端末を接続する無線中継器を変えるなどのシステム構成を変更する場合、新たに無線端末の接続を再設定する操作に必要な時間が増大してしまう。
【０００４】
このように従来の無線ネットワークにおける無線端末の接続設定方法は、システム全体として設定に必要な時間やコスト、設定操作の効率性を特に考慮したものではなかった。
【特許文献１】特開２００３−２２９８７２号公報
【発明の開示】
【発明が解決しようとする課題】
【０００５】
上記のように、従来の無線ネットワークでは、無線端末側で個別に無線ネットワークへの接続設定を行う必要があり、多数の無線端末から構成される大規模なシステムの場合、全無線端末の接続設定をどのようにして効率的に行うかという課題があった。
【０００６】
本発明はかかる点に鑑み、無線端末の接続設定情報を管理する無線端末管理サーバから無線端末へ接続設定情報を付与する、システム無線ネットワークの端末接続管理システムを提供することを目的とする。
【課題を解決するための手段】
【０００７】
この課題を解決するために、請求項１に記載の本願第１の発明の無線ネットワークの端末接続管理システムは、
複数の無線中継局と、複数の無線端末と、前期無線ネットワークと別の有線ネットワークで接続される無線端末管理サーバから構成される無線ネットワークシステムにおいて、前記無線端末管理サーバは、前記有線ネットワークを介して前記無線端末から送信された前記無線端末の識別情報と、予め記録されている前記無線端末の固有情報に基づいて、前記無線端末が接続する前記無線中継局を割り当てるものである。
また、請求項２に記載の本願第２の発明の無線ネットワークの端末接続管理システムは、
複数の無線中継局と、複数の無線端末と、前期無線ネットワークと別の有線ネットワークで接続される無線端末管理サーバから構成される無線ネットワークシステムにおいて、前記無線端末管理サーバは、前記有線ネットワークを介して前記無線端末から送信された前記無線端末の識別情報と前記無線端末の無線ネットワーク接続情報に基づいて、前記無線端末が接続する前記無線中継局を割り当てるものである。
【０００８】
また、請求項３に記載の本願第３の発明の無線ネットワークの端末接続管理システムは、
複数の無線中継局と、複数の無線端末と、無線端末管理サーバから構成される無線ネットワークシステムにおいて、前記無線端末管理サーバは、特定の無線中継局の無線ネットワークを経由して前記無線端末から送信された前記無線端末の識別情報と、予め記録されている前記無線端末の固有情報に基づいて、前記無線端末が接続する前記無線中継局を割り当てるものである。
【０００９】
また、請求項４に記載の本願第４の発明の無線ネットワークの端末接続管理システムは、
複数の無線中継局と、複数の無線端末と、無線端末管理サーバから構成される無線ネットワークシステムにおいて、前記無線端末管理サーバは、特定の無線中継局の無線ネットワークを経由して前記無線端末から送信された前記無線端末の識別情報と、前記無線端末の無線ネットワーク接続情報に基づいて、前記無線端末が接続する前記無線中継局を割り当てるものである。
【発明の効果】
【００１０】
本発明によれば、無線端末毎に無線ネットワークへの接続を個別に設定することなく、無線端末管理サーバを用いて一元的に管理設定することができる。
【発明を実施するための最良の形態】
【００１１】
（実施の形態１）
図１から図４は本発明の無線ネットワークの端末接続管理システムを利用した第１の実施の形態を示す図である。
【００１２】
図１は本発明の無線ネットワークの端末接続管理システムのブロック図である。図１において１０、１１、１２は無線中継局、２０、２１、２２は無線ネットワーク、３０は無線端末管理サーバ、１００〜１０５は無線端末、２００は有線ネットワークである。
【００１３】
図２（ａ）は無線端末の内部構成を示すブロック図であり、１２０は有線ネットワーク通信部、１３０は無線ネットワーク通信部、１４０は無線接続情報設定部である。
【００１４】
図２（ｂ）は無線端末管理サーバの内部構成を示すブロック図であり、３１は有線ネットワーク通信部、３２は端末接続管理部、３３は無線端末情報記憶部、３４は無線中継局情報記憶部、３５は端末接続情報記憶部である。
【００１５】
図３は無線端末管理サーバに格納される内部情報を示し、図３（ａ）は無線端末の識別情報である、ネットワークアドレス（ＭＡＣアドレス）と端末の固有位置を示す無線端末情報３００、図３（ｂ）は無線中継局の設置位置と無線ネットワークのグループを示すＳＳＩＤを含む無線中継局情報３１０、図３（ｃ）は無線端末の接続割当情報３２０である。
【００１６】
図４は、無線端末と無線端末管理サーバ間で通信されるデータを示し、図４（ａ）は無線端末から無線端末管理サーバへ送信される接続設定要求４００、図４（ｂ）は接続設定要求４００に対して、無線端末管理サーバから無線端末へ返信される接続設定応答４１０を示している。
【００１７】
実施の形態１の無線ネットワークの端末接続管理システムについて、図１から図４を用いて説明する。
【００１８】
無線端末１００が無線ネットワークへの接続設定を行う場合、まず図２（ａ）の無線接続情報設定部１４０は、有線ネットワーク通信部１２０を通じ有線ネットワーク２００を経由して、図４（ａ）の接続設定要求データを無線端末管理サーバ３０に送信し、無線端末管理サーバ３０からの応答を待つ。図４（ａ）の接続設定要求４００は、無線端末１００の識別情報としてネットワークのＭＡＣアドレスと、接続設定情報として（無線ネットワークを示す）ＳＳＩＤ取得要求を含んでいるものとする。
【００１９】
一方、無線端末管理サーバ３０では、端末接続管理部３２が有線ネットワーク通信部３１を通じて無線端末１００からの接続設定要求４００を受信する。端末接続管理部３２は接続設定要求４００の中から取り出した、無線端末１００の識別情報であるネットワークのＭＡＣアドレスデータと、予め図２（ａ）の位置情報記憶部３３に記録された図３（ａ）の無線端末情報３００のＭＡＣアドレスデータを比較して、無線端末１００の固有情報である位置情報を取得する。例えば、無線端末１００が００．０１．ＤＡ．ＦＦ．８２．０１のＭＡＣアドレスを持っていた場合、無線端末１００はゾーン１の位置にあることがわかる。
【００２０】
次に、端末接続管理部３２は、図２（ｂ）の無線中継局情報記憶部３４に格納されている、図３（ｂ）無線中継局情報３１０を参照して、先に取得した無線端末１００の位置情報（＝ゾーン１）から、無線端末１００がゾーン１の無線中継局１０に対応していることを識別する。
【００２１】
そこで端末接続管理部３２は、無線端末１００を無線中継局１０の無線ネットワーク２０に割り当てて、無線ネットワーク２０を示すＳＳＩＤ＝ＡＡＡＡを図３（ｃ）の無線接続情報３２０に記録する。そして端末接続管理部３２は、無線端末１００を接続させる無線ネットワーク２０を示すＳＳＩＤを含む接続設定応答４１０を無線端末１００へ送信する。
【００２２】
さて、無線端末１００では、有線ネットワーク通信部１２０を通じて無線端末管理サーバ３０から接続設定応答４１０を受信する。そして接続設定応答４１０の中から接続設定情報であるＳＳＩＤデータを取り出して、無線ネットワークの接続設定を行う。
【００２３】
これによって、無線端末１００は、無線ネットワーク通信部１３０を通じて、無線端末管理サーバ３０によって割り当てられた無線中継局１０の無線ネットワーク２０に接続することができる。
【００２４】
このようにして、無線端末管理サーバ３０は、無線端末１００の識別情報と固有情報に基づいて、無線端末１００が接続する無線中継局１０を割り当てることができる。
【００２５】
以上のように、本実施の形態によれば、無線端末管理サーバを用いることによって、大規模な無線ネットワークシステムにおいて、個々の端末が独立に接続設定することなく、統一的に無線ネットワークの接続割当を行うことができる。
【００２６】
なお、本実施の形態では、無線端末の識別情報として、有線ネットワーク２００のＭＡＣアドレスを用いる場合を説明したが、ＩＰアドレス（インターネットアドレス）や端末の製造番号など、端末が唯一の個体であることを示す情報を用いても、無線ネットワークへの接続を割り当てることも可能であることはいうまでもない。
【００２７】
また、無線中継局１０〜１２と無線端末１００〜１０５を割り当てる規則について、無線中継局１０〜１２と無線端末１００〜１０５の固有情報として、物理的な位置情報を用いる場合について説明したが、物理的な位置情報以外の端末の固有情報を利用した接続割当て規則を用いることも可能である。
【００２８】
また、無線ネットワークへの接続情報としてＳＳＩＤを用いる場合を示したが、例えば、無線中継局１０〜１２が所有しているネットワークアドレス（ＭＡＣアドレス）など、無線ネットワークの識別情報を接続情報として用いても、同様にして、無線ネットワークへの接続を割り当て可能であることはいうまでもない。
【００２９】
（実施の形態２）
図５、図６は本発明の無線ネットワークの端末接続管理システムを利用した第２の実施の形態を示す図である。
【００３０】
図５は本発明の無線ネットワークの端末接続管理システムのブロック図である。図５において、１０、１１、１２は無線中継局、４０、４１、４２は無線ネットワーク、５０は無線端末管理サーバ、１００〜１０５は無線端末、２００は有線ネットワークである。図６は無線端末管理サーバに格納される内部情報を示し、図６（ａ）の３０１は、無線端末のネットワークアドレス（ＭＡＣアドレス）と位置を含む端末固有情報、図６（ｂ）の３３０は、無線中継局の無線ネットワークのグループを示すＳＳＩＤと無線中継局に接続されている無線端末個数を含む無線中継局情報、図６（ｃ）の３４０は、無線端末の接続割当情報である。
【００３１】
実施の形態２の無線ネットワークの端末接続管理システムについて、図２、図４、図５および図６を用いて説明する。
【００３２】
無線端末１００が無線ネットワークへの接続設定を行う場合、図４（ａ）の接続設定要求４００を有線ネットワーク２００を通じて送信し、それを無線端末管理サーバ５０が受信するまでは、実施の形態１の場合と同様に処理されるものとする。また無線端末管理サーバ５０は、図２の構造を持つものとする。
【００３３】
さて、無線端末管理サーバ５０では、図２の端末接続管理部３２が有線ネットワーク通信部３１を通じて、無線端末１００からの接続設定要求４００を受信する。
【００３４】
端末接続管理部３２は、接続設定要求４００から無線端末１００の識別情報であるネットワークのＭＡＣアドレスデータと予め図２（ａ）の位置情報記憶部３３に記録されている、図６（ａ）の無線端末情報３０１からＭＡＣアドレスデータを取得する。
【００３５】
次に端末接続管理部３２は、図２（ｂ）の無線中継局情報記憶部３４に格納されている、図６（ｂ）無線中継局情報３３０を参照して、接続されている無線端末数が最も少ない無線中継局を選択して、その無線中継局の無線ネットワークのグループを示すＳＳＩＤを取得し、接続設定要求４００を送信した無線端末の識別情報であるＭＡＣアドレスとＳＳＩＤを図６（ｃ）の無線端末の接続割当て情報３４０に設定する。例えば、無線端末１０５がＭＡＣアドレス９０．２２．ＡＦ．７４．５５．２３を持っているとして、無線端末１０５が接続設定要求４００を送信してきた場合、図６（ｂ）の場合無線中継局Ｃの端末数が最も少ないので、無線中継局Ｃに対応するＳＳＩＤデータとして、ＣＣＣＣを割当て、図６（ｃ）の無線端末の接続情報３４０の端末割当番号＝５に設定する。そして、端末接続管理部３２は、無線端末１０５を接続させる無線ネットワーク４２を示すＳＳＩＤを含んだ、接続設定応答４１０を無線端末１０５へ送信する。
【００３６】
一方、無線端末１０５では、無線端末管理サーバ５０から接続設定応答４１０を受信し、接続設定応答４１０の中から接続設定情報であるＳＳＩＤデータを取り出して、無線ネットワークの接続設定を行う。そして無線端末１０５は、無線端末管理サーバ５０によって割り当てられた、無線中継局１２の無線ネットワーク４２に接続することができる。
【００３７】
このように、無線端末管理サーバ５０は、無線中継局に接続された無線端末数に基づいて、無線端末１００〜１０５が接続する無線中継局１０〜１２を割り当てることができる。
【００３８】
以上のように、本実施の形態によれば、無線端末管理サーバを用いることによって、大規模な無線ネットワークシステムにおいて、個々の端末が独立に接続設定することなく、統一的に無線ネットワークの接続割当を行うことができる。
【００３９】
（実施の形態３）
図７、図８は本発明の無線ネットワークの端末接続管理システムを利用した第３の実施の形態を示す図である。
【００４０】
図７は本発明の無線ネットワークの端末接続管理システムのブロック図であり、１０、１１、１２、１３は無線中継局、３０は無線端末管理サーバ、６０、６１、６２、６３は無線ネットワーク、１１０〜１１５は無線端末、２０１は有線ネットワークである。
【００４１】
図８の（ａ）は無線端末の内部構成を示すブロック図であり、１３１は無線ネットワーク通信部、１４１は無線接続情報設定部である。また無線端末管理サーバ３０は、実施の形態１と同様に図２の構造を持つものとする。
【００４２】
実施の形態３の無線ネットワークの端末接続管理システムについて、図７および図８を用いて説明する。
【００４３】
無線端末１００は、無線中継局Ｄ１３が構築している無線ネットワーク６３を通して、無線ネットワークへの接続設定を行う。まず図２（ａ）の無線接続情報設定部１４１は、無線ネットワーク通信部１３１から無線ネットワーク６３を通して、図４（ａ）の接続設定要求データを無線端末管理サーバ３０へ送信する。すると、図４（ａ）の接続設定要求データを受信した無線中継局Ｄ１３は、接続している有線ネットワーク２０１を通して、無線端末管理サーバ３０に送信する。
【００４４】
一方、無線端末管理サーバ３０が無線端末１００からの接続設定要求データ４００を受信し、接続設定応答４１０を返信するまでの処理は、実施の形態１と同様とする。
【００４５】
さて、無線端末１００は、有線ネットワーク通信部１１を通じて無線端末管理サーバ３０から接続設定応答４１０を受信し、接続設定応答４１０の中から接続設定情報であるＳＳＩＤデータを取り出して、割当てられた無線ネットワーク２０の接続設定を行う。
【００４６】
これによって無線端末１００は、無線ネットワーク通信部１３０を通じて、無線端末管理サーバ３０によって割り当てられた無線中継局１０の無線ネットワーク２０に接続することができる。
【００４７】
このようにして、無線端末１００は、接続設定用の無線ネットワーク１３を介して、無線端末管理サーバ３０から接続する無線中継局１０を割り当てられる。
【００４８】
以上のように、本実施の形態によれば、接続設定専用の無線ネットワークと無線端末管理サーバを用いることによって、大規模な無線ネットワークシステムにおいて、個々の端末が独立に接続設定することなく、統一的に無線ネットワークの接続割当を行うことができる。
【００４９】
なお、本実施の形態では、無線ネットワークへの接続情報としてＳＳＩＤを用いる場合を示したが、例えば、無線中継局１０〜１２が所有しているネットワークアドレス（ＭＡＣアドレス）など、無線ネットワークの識別情報を接続情報として用いても、同様にして、無線ネットワークへの接続を割り当て可能であることはいうまでもない。
【産業上の利用可能性】
【００５０】
本発明にかかる無線ネットワークの端末接続管理システムは、多数の無線端末と複数の無線中継局から構成される無線ネットワークにおいて、無線端末の接続割当てを行う上で有用である。
【図面の簡単な説明】
【００５１】
【図１】本発明の実施の形態１の無線ネットワークの端末接続管理システムのブロック図
【図２】本発明の実施の形態１の無線端末および無線端末管理サーバの内部構成を示すブロック図
【図３】本発明の実施の形態１の無線端末管理サーバの内部情報を示す図
【図４】本発明の実施の形態１の通信データのフォーマットを示す図
【図５】本発明の実施の形態２の無線ネットワークの端末接続管理システムのブロック図
【図６】本発明の実施の形態２の無線端末管理サーバの内部情報を示す図
【図７】本発明の実施の形態３の無線ネットワークの端末接続管理システムのブロック図
【図８】本発明の実施の形態３の無線端末の内部構成を示すブロック図
【符号の説明】
【００５２】
１０〜１２  無線中継局
２０〜２３  無線ネットワーク
３０  無線端末管理サーバ
３１  有線ネットワーク通信部
３２  端末接続管理部
３３  端末固有情報記憶部
３４  無線中継局情報記憶部
３５  端末接続情報記憶部
１００〜１０５  無線端末
１１０〜１１５  無線端末
１２０  有線ネットワーク通信部
１３０  無線ネットワーク通信部
１３１  無線ネットワーク通信部
１４０  無線接続情報設定部
１４１  無線接続情報設定部
２００  有線ネットワーク
３００  無線端末情報
３０１  無線端末情報
３１０  無線中継局情報
３２０  無線端末の接続割当情報
３３０  無線中継局情報
３４０  無線端末の接続割当情報
４００  接続設定要求
４１０  接続設定応答
【図１】
2006270500.tif 000003
【図２】
2006270500.tif 000004
【図３】
2006270500.tif 000005
【図４】
2006270500.tif 000006
【図５】
2006270500.tif 000007
【図６】
2006270500.tif 000008
【図７】
2006270500.tif 000009
【図８】
2006270500.tif 000010